(57)【要約】【課題】ユーザが忘れている予約録画がされていることを、このユーザに認識させた後の操作性を向上することで、ユーザがミスを犯すのを抑えることができる複合装置を提供する。  【解決手段】予約録画ができる状態であるかどうかを判別する。予約録画が出来ない状態とはＤＶＤ記録再生部が再生や録画を行っている場合である。予約録画ができる状態であればこの問い合わせ処理を終了する。予約録画が実行できない状態であれば、装置本体がダビング中であるかどうかを判別する。装置本体がダビング中であれば、ユーザに対して、現在実行中のダビングを中止して予約録画を実行するか、または現在実行中のダビングを継続して予約録画を中止するかを確認するメッセージをＯＳＤにより表示する。複合装置１は、Ｓ４で予約録画を実行する旨の入力があると、ダビングを停止し、ＤＶＤ側の記録媒体を放出する。【選択図】  図２
2005333578.tif 000002
【特許請求の範囲】
【請求項１】
放送信号を受信し、選択されているチャンネルの映像信号および音声信号を抽出する受信手段と、
前記受信手段が抽出したチャンネルの映像信号および音声信号の記録媒体への録画、および記録媒体に録画されている映像信号および音声信号の再生を行う２つの録画／再生手段と、
録画開始時間、録画終了時間、録画するチャンネル、および記録媒体への録画を実行する前記録画／再生手段を指定する予約録画情報を受け付ける予約録画受付手段と、
前記予約録画受付手段が受け付けている前記予約録画情報に基づいて、前記録画／再生手段における映像信号および音声信号の記録媒体への録画を制御する予約録画制御手段と、を備えた複合装置において、
前記予約録画受付手段が受け付けている予約録画情報が指定する録画開始時刻の一定時間前になったときに、この予約録画情報が記録媒体への録画の実行を指定する一方の録画／再生手段が記録媒体の再生中であれば、この予約録画情報による予約録画を前記一方の録画／再生手段で実行するか、他方の録画／再生手段で実行するか、または中止するか、を問い合わせる問い合わせ手段と、
前記問い合わせ手段が問い合わせた内容に対する応答を受け付ける応答受付手段と、
前記応答受付手段が前記一方の録画／再生手段で予約録画を実行する旨の応答を受け付けた場合に、この一方の録画／再生手段における記録媒体の再生を停止し、この記録媒体を放出する記録媒体放出手段と、
前記受信手段が抽出した映像信号および音声信号を入力する前記録画／再生手段を切り替える入力切替手段とを備え、
前記録画／再生手段の１つは、映像信号および音声信号をＤＶＤに記録する複合装置。
【請求項２】
放送信号を受信し、選択されているチャンネルの映像信号および音声信号を抽出する受信手段と、
前記受信手段が抽出したチャンネルの映像信号および音声信号の記録媒体への録画、および記録媒体に録画されている映像信号および音声信号の再生を行う２つの録画／再生手段と、
録画開始時間、録画終了時間、録画するチャンネル、および記録媒体への録画を実行する前記録画／再生手段を指定する予約録画情報を受け付ける予約録画受付手段と、
前記予約録画受付手段が受け付けている前記予約録画情報に基づいて、前記録画／再生手段における映像信号および音声信号の記録媒体への録画を制御する予約録画制御手段と、を備えた複合装置において、
前記予約録画受付手段が受け付けている予約録画情報が指定する録画開始時刻の一定時間前になったときに、この予約録画情報が記録媒体への録画の実行を指定する一方の録画／再生手段が記録媒体の再生中であれば、この予約録画情報による予約録画を前記一方の録画／再生手段で実行するか、他方の録画／再生手段で実行するか、または中止するか、を問い合わせる問い合わせ手段と、
前記問い合わせ手段が問い合わせた内容に対する応答を受け付ける応答受付手段と、
前記応答受付手段が前記一方の録画／再生手段で予約録画を実行する旨の応答を受け付けた場合に、この一方の録画／再生手段における記録媒体の再生を停止し、この記録媒体を放出する記録媒体放出手段と、を備えた複合装置。
【請求項３】
前記受信手段は１つであり、前記受信手段が抽出した映像信号および音声信号を入力する前記録画／再生手段を切り替える入力切替手段を備えた請求項２に記載の複合装置。
【請求項４】
前記録画／再生手段の１つは、映像信号および音声信号をＤＶＤに記録する請求項２、または３に記載の複合装置。
【発明の詳細な説明】
【技術分野】
【０００１】
この発明は、ＤＶＤとビデオカセット等の記録媒体に対する映像や音声の録画／再生を行う録画／再生部を２つ設けた複合装置に関する。
【背景技術】
【０００２】
従来、ＤＶＤとビデオカセット等の記録媒体に対する映像や音声の録画／再生を行う録画／再生部を２つ設けたＤＵＡＬレコーダが実用化されている。ここでは、ＤＶＤに対して映像や音声の録画／再生を行う録画／再生部と、ビデオカセットテープに対して映像や音声の録画／再生を行う録画／再生部とを設けたデュアルレコーダを例にして説明する。一般的なＤＵＡＬレコーダには、公知の予約録画機能が設けられており、ＤＶＤやビデオカセット等の記録媒体に予約録画が行える構成であった。
【０００３】
ところで、ユーザが予約録画をしていても、この予約録画が実行されないことがある。例えばＤＶＤの記録／再生部に対して予約録画を行っている場合に、ユーザがこの予約録画による録画開始時間にＤＶＤを再生していたり、ビデオテープからＤＶＤへのダビングを行っていて、ＤＶＤの記録／再生部を予約録画以外の別の用途で使用していると、予約録画が実行されない。ユーザが予約録画していたことを忘れていることが、予約録画が実行されない事態がおきる主な原因である。このような事態がおきるのを防止するものとして、予約録画の開始時刻の一定時間前（１〜２分前）に、装置本体が予約録画を実行できない状態であれば、この予約録画の開始時間が迫っていることを出力し、予約録画がされていることをユーザに認識させることが特許文献１で提案されている。
【特許文献１】特開２００１−７６３９５号公報
【発明の開示】
【発明が解決しようとする課題】
【０００４】
しかしながら、特許文献１で提案されているように予約録画がされていることをユーザに認識させても、ユーザがこの予約録画を行うには、以下に示す多くの操作をしなければならない。
【０００５】
まず、第１に本体が実行している動作を停止させ、予約録画による録画を行う記録媒体が本体にセットされているかどうかを確認する。ユーザは、予約録画による録画を行う記録媒体が本体にセットされていないことを確認すると（本体に別の記録媒体がセットされていると）、本体にセットされている記録媒体を取り出し、予約録画による録画を行う記録媒体を本体にセットする。しかも、予約録画の開始時間の数分前に、ユーザに予約録画がされていることを認識させているので、ユーザは上述の操作をこの時間内に行わなければならない。その結果、ユーザはあわただしく動かなければならず、またあわただしく動くことで装置本体にセットする記録媒体を間違える等のミスを犯しやすい。このように、特許文献１で提案されているものは、予約録画がされていることをユーザに認識させた後のユーザの操作性について全く考慮しておらず、操作性が悪く、また誤操作が起こりやすいという問題があった。
【０００６】
この発明の目的は、ユーザが忘れている予約録画がされていることを、このユーザに認識させた後の操作性を向上することで、ユーザがミスを犯すのを抑えることができる複合装置を提供することにある。
【課題を解決するための手段】
【０００７】
この発明の複合装置は、上記課題を解決するために以下の構成を備えている。
（１）放送信号を受信し、選択されているチャンネルの映像信号および音声信号を抽出する受信手段と、
前記受信手段が抽出したチャンネルの映像信号および音声信号の記録媒体への録画、および記録媒体に録画されている映像信号および音声信号の再生を行う２つの録画／再生手段と、
録画開始時間、録画終了時間、録画するチャンネル、および記録媒体への録画を実行する前記録画／再生手段を指定する予約録画情報を受け付ける予約録画受付手段と、
前記予約録画受付手段が受け付けている前記予約録画情報に基づいて、前記録画／再生手段における映像信号および音声信号の記録媒体への録画を制御する予約録画制御手段と、を備えた複合装置において、
前記予約録画受付手段が受け付けている予約録画情報が指定する録画開始時刻の一定時間前になったときに、この予約録画情報が記録媒体への録画の実行を指定する一方の録画／再生手段が記録媒体の再生中であれば、この予約録画情報による予約録画を前記一方の録画／再生手段で実行するか、他方の録画／再生手段で実行するか、または中止するか、を問い合わせる問い合わせ手段と、
前記問い合わせ手段が問い合わせた内容に対する応答を受け付ける応答受付手段と、
前記応答受付手段が前記一方の録画／再生手段で予約録画を実行する旨の応答を受け付けた場合に、この一方の録画／再生手段における記録媒体の再生を停止し、この記録媒体を放出する記録媒体放出手段と、を備えることを特徴とする。
【０００８】
この構成では、本体に２つの録画／再生手段が設けられている。例えば、ＤＶＤレコーダに対して記録／再生を行う手段と、ビデオカセットテープに対して記録／再生を行う手段とである。予約録画受付手段で受け付けた予約録画情報が指定する録画開始時刻の一定時間前になったとき、この予約録画情報に基づいて録画を実行する一方の録画／再生手段が記録媒体の再生中であれば、即ち録画予約に基づく録画を実行することが出来ない状態であれば、問い合わせ手段が問い合わせを行う。この問い合わせの内容は、この予約録画情報による予約録画を前記一方の録画／再生手段で実行するか、他方の録画／再生手段で実行するか、または中止するか、である。応答受付手段がこの問い合わせに対する応答を受け付ける。前記応答受付手段が前記一方の録画／再生手段で予約録画を実行する旨の応答を受け付けた場合に、記録媒体放出手段がこの一方の録画／再生手段における記録媒体の再生を停止し、この記録媒体を放出する。このように、問い合わせ手段による問い合わせで、ユーザが忘れていた予約録画を実行する旨の応答をした場合、本体にセットされている記録媒体が自動的に放出される。言い換えればユーザはこのような場合に本体にセットされている記録媒体を放出させるための操作を行わなくても良いので、ユーザの行う操作を減少できる。従って、ユーザが落ち着いて行動できるので、ユーザがミスを犯すのを抑えられる。
（２）前記受信手段は１つであり、前記受信手段が抽出した映像信号および音声信号を入力する前記録画／再生手段を切り替える入力切替手段を備えることを特徴とする。
【０００９】
この構成では、１つの受信手段が、２つの録画／再生手段の一方に選択的に受信した信号を送ることが出来るので、２つの録画／再生手段に受信手段を個別に設ける必要がなく、装置本体を安価にできる。
【発明の効果】
【００１０】
この発明によれば、問い合わせ手段による問い合わせで、ユーザに忘れていた予約録画を認識させたときに、このユーザが忘れていた予約録画を実行する旨の応答をした場合に、本体にセットされている記録媒体が自動的に放出されるので、ユーザが行う操作を減少できる。従って、ユーザは落ち着いて行動でき、ユーザがミスを犯すのを抑えられ、装置本体の操作性の向上が図れる。
【発明を実施するための最良の形態】
【００１１】
以下、この発明の実施形態である複合装置１について説明する。
【００１２】
図１は、この実施形態の複合装置１の主要部の構成を示すブロック図である。この実施形態の複合装置は、本体の動作を制御する制御部２と、リモコンから送られてきた信号を受信するリモコン受信部３と、複合装置本体に対する入力操作を行う複数のキーが配置された操作部４と、選択されているチャンネルで放送されている番組の映像信号および音声信号を抽出する受信部５と、受信部５が抽出した映像信号および音声信号をＤＶＤ録画／再生部７またはビデオ録画／再生部８のどちらかに入力する切り替えを行う切り替え部６と、記録媒体であるＤＶＤに映像および音声の録画やＤＶＤに録画されている映像や音声を再生するＤＶＤ録画／再生部７と、記録媒体であるビデオテープに映像および音声の録画やビデオテープに録画されている映像や音声を再生するビデオ録画／再生部８と、ＤＶＤ録画／再生部７またはビデオ録画／再生部８から入力された映像信号を図示しない表示装置に出力する出力部９と、を備えている。
【００１３】
制御部２は予約録画情報を記憶する図示しないメモリを備えている。この予約録画情報は、予約録画開始日時、録画終了日時、録画するチャンネル、録画を行う録画／再生部（ＤＶＤ録画／再生部７または、ビデオ録画／再生部８）を指定する情報を含んでいる。リモコン又は操作部４で予約録画情報にかかる入力操作が行える。また、制御部２は、この予約録画情報が指定する録画開始時刻の一定時間前例えば２〜３分前になったときに、この予約録画情報に基づく録画を実行する録画／再生部が記録媒体の再生中であれば、この予約録画に基づく録画をどうするかについて問い合わせを行う機能も有している。この問い合わせはＯＳＤで行うが、ＯＳＤの画像はハードディスク（不図示）に記憶している。
【００１４】
出力部９はＤＶＤ録画／再生部７又は、ビデオ録画／再生部８から送られてきた再生されている画像にＯＳＤの画像を重ねた画像を生成し、生成した画像の映像信号を出力する。また、出力部９には、録画／再生部から、映像信号とともに音声信号も入力される。出力部は入力された音声信号をスピーカ等へ出力する。受信部５は一つであり、切り替え部６における切り替えにより、受信部５から出力された映像信号及び音声信号をＤＶＤ録画／再生部７又はビデオ録画／再生部８に選択的に入力する。
【００１５】
さらに、この実施形態の複合装置１は、ＤＶＤとビデオテープとの間でダビングが行える。ダビング方向がＤＶＤからビデオテープの場合、ＤＶＤ録画／再生部７で再生された音声信号及び映像信号がビデオ録画／再生部８に入力され、ビデオ録画／再生部８でビデオテープにダビングされる。ダビング方向がビデオテープからＤＶＤの場合、ビデオ録画／再生部８で再生された音声信号及び映像信号がＤＶＤ録画／再生部７に入力され、ＤＶＤ録画／再生部７でＤＶＤにダビングされる。どちらの場合も記録媒体を再生している側の録画／再生部から映像信号及び音声信号が出力部９に入力される。
【００１６】
この実施形態の複合装置１は、メモリに記憶されている予約録画情報毎に、録画開始日時の一定時間前例えば２〜３分前になると問い合わせ処理を行う。この問い合わせ処理は、装置本体が予約録画を実行できない状態であれば、予約録画がされていることをユーザに認識させるための処理である。以下の説明では、予約録画情報がＤＶＤ録画／再生部７側である場合を例にして説明する。図２はこの複合装置の問い合わせ処理を示すフローチャートである。
【００１７】
まず、予約録画ができる状態であるかどうかを判別する（Ｓ１）。予約録画が出来ない状態とはＤＶＤ録画／再生部７が再生や録画を行っている場合である。予約録画ができる状態であればこの問い合わせ処理を終了する。予約録画が実行できない状態であれば、装置本体がダビング中であるかどうかを判別する（Ｓ２）。装置本体がダビング中であれば、ユーザに対して、現在実行中のダビングを中止して予約録画を実行するか、または現在実行中のダビングを継続して予約録画を中止するかを確認するメッセージをＯＳＤにより表示する（Ｓ３）。Ｓ３で出力するＯＳＤ画像（第２の問い合わせ画像）は、図３に示す画像である。このＯＳＤ画像は、図示していないハードディスクに記録されている。
【００１８】
複合装置１は、Ｓ３でＯＳＤ画像を出力すると、本体に対して現在実行中のダビングを中止して予約録画を実行する、または現在実行中のダビングを継続して予約録画を中止する旨の入力を待つ（Ｓ４、Ｓ５）。ユーザは、ＯＳＤ表示された画面を確認して現在実行中のダビングを中止して予約録画を実行するか、または現在実行中のダビングを継続して予約録画を中止するかを操作部４またはリモコンを操作して装置本体に入力する。
【００１９】
複合装置１は、Ｓ４で予約録画を実行する旨の入力があると、ダビングを停止し（Ｓ６）、ＤＶＤ側の記録媒体を放出する（Ｓ７）。この時、図４に示すようにＯＳＤでＤＶＤのセットを促すメッセージ画像を出力する（Ｓ８）。図示するようにこのメッセージ画像に予約録画の開始までの時間を表示させても良い。このようにすればユーザは録画が開始されるまでの時間がどの程度残っているかを確認しながら作業を行うことができる。また、Ｓ６でダビングを停止し、Ｓ７でＤＶＤを放出するので、本体にセットされている記録媒体を放出させるための操作をユーザが行う必要がなく、ユーザが行う操作を減少できる。従ってユーザは落ち着いて行動でき、ユーザのミスを犯すのを抑えられ操作性の向上が図れる。本体にＤＶＤがセットされると（Ｓ９）、この問い合わせ処理を終了する。
【００２０】
複合装置１は、Ｓ５で予約録画を中止する旨の入力があると、予約録画を取り消し（Ｓ１０）、この問い合わせ処理を終了する。Ｓ１０にかかる処理は制御部２の図示していないメモリに記憶している該当する予約録画情報を削除する処理である。このように、その実行が中止された予約録画情報をメモリから消去するので余計な予約録画情報がメモリに残らない。
【００２１】
ユーザがＳ４で予約録画実行を入力した場合、該当する予約録画情報に基づく録画が行われ、Ｓ５で予約録画中止を入力した場合、そのとき実行していたダビングが継続している（予約録画は行われない。）。
【００２２】
Ｓ２で装置本体がダビング中でなければ、ユーザに対して、本体に対して予約録画を実行するか、ビデオ側の録画媒体での録画に変更するか、または予約録画を中止するかを確認するメッセージをＯＳＤにより表示する（Ｓ１１）。Ｓ１１で出力するＯＳＤ画像（第１の問い合わせ画像）は、図５に示す画像である。複合装置１は、Ｓ１１でＯＳＤ画像を出力すると、本体に対して予約録画を実行するか、ビデオ側での録画に変更か、または予約録画を中止する旨の入力を待つ（Ｓ１２、Ｓ１３、Ｓ１４）。ユーザは、ＯＳＤ表示された画面を確認して本体に対して予約録画を実行するか、ビデオ側での録画に変更か、または予約録画を中止するかを操作部４またはリモコンを操作して装置本体に入力する。
【００２３】
複合装置１は、Ｓ１２で予約録画を中止する旨の入力があると、予約録画を取り消し（Ｓ１０）、この問い合わせ処理を終了する。複合装置１は、Ｓ１３で予約録画を実行する旨の入力があると、再生又は録画を停止し（Ｓ１５）、ＤＶＤ側の記録媒体を放出する（Ｓ１６）。この時、ＯＳＤで上述した図４に示すＤＶＤのセットを促すメッセージ画像を出力する（Ｓ８）。このような場合も、ＤＶＤ側の記録媒体を自動で放出するのでユーザが行う操作を減少でき、ユーザがミスを犯すのを抑えられ、装置本体の操作性の向上が図れる。本体にＤＶＤがセットされると（Ｓ９）、この問い合わせ処理を終了する。
【００２４】
複合装置１は、Ｓ１４で他方で予約録画を実行する旨の入力があると、メモリに記憶している該当する予約録画情報に対して予約録画を実行する録画／再生部をＤＶＤ側からビデオ側に切り替える更新を行う（Ｓ１７）。この次に、ビデオテープがセットされているか判別し（Ｓ１８）、未セットであれば、Ｓ８でビデオテープのセットを促すＯＳＤ画像を出力する。本体にビデオがセットされると（Ｓ９）、この問い合わせ処理を終了する。
【００２５】
Ｓ１８でビデオがセットされていれば、この問い合わせ処理を終了する。
【００２６】
ユーザがＳ１２で予約録画中止を入力した場合、そのとき実行していた再生や録画が継続され（予約録画は行われない。）、Ｓ１３で予約録画実行を入力した場合、該当する予約録画情報に基づく録画が行われ、Ｓ１４で他方で予約録画実行を入力した場合、ビデオ側に切り替えられた予約録画情報に基づく録画が行われる。また、受信部５は一つであり、切り替え部６における切り替えにより受信部５から出力された映像信号及び音声信号をＤＶＤ録画／再生部７又はビデオ録画／再生部８に選択的に入力する構成としたので装置本体を安価にできる。
【００２７】
なお、Ｓ１で予約録画ができると判定したとき、この問い合わせ処理を終了するようにしているので、上記問い合わせ処理を無駄に実行することもない。
【図面の簡単な説明】
【００２８】
【図１】この実施形態の複合装置１の主要部の構成を示すブロック図である。
【図２】この複合装置の問い合わせ処理を示すフローチャートである。
【図３】Ｓ３で出力するＯＳＤ画像（第２の問い合わせ画像）である。
【図４】ＯＳＤでＤＶＤのセットを促すメッセージ画像である。
【図５】Ｓ１１で出力するＯＳＤ画像（第１の問い合わせ画像）である。
【符号の説明】
【００２９】
１−複合装置
２−制御部
３−リモコン受信部
４−操作部
５−受信部
６−切り替え部
７−ＤＶＤ録画／再生部
８−ビデオ録画／再生部
９−出力部
【図１】
2005333578.tif 000003
【図２】
2005333578.tif 000004
【図３】
2005333578.tif 000005
【図４】
2005333578.tif 000006
【図５】
2005333578.tif 000007